(57)【特許請求の範囲】
【請求項１】
ピックアップが設置されるとともに、ターンテーブルのディスク設置面を設定する基準面を有する駆動基盤と、この駆動基盤の前記基準面側に設けられた前記ターンテーブルを待機位置から、当該駆動基盤の開口を通じて、前記基準面から所定の間隔で平行に設定したディスク再生位置に移動する手段と、前記駆動基盤の前記基準面とは反対側の面に配置されるディスククランプを前記ターンテーブルに向かって移動させる手段とを備え、前記ディスククランプと前記ターンテーブルとが協働して前記ディスク再生位置にディスクをチャッキングすることを特徴とするディスクプレーヤのローディング機構。
【請求項２】
前記ターンテーブルは、ブラシレス・スピンドルモータと一体に形成されて前記ピックアップとは独立して移動可能であることを特徴とする請求項１に記載のディスクプレーヤのローディング機構。
【請求項３】
前記ディスクは、モータ駆動される搬送機構によって自動的に挿入口から前記ターンテーブル上に移送され、前記ターンテーブルの移動は前記ディスクの移送と機械的に連動して行われることを特徴とする請求項１または２に記載のディスクプレーヤのローディング機構。
【請求項４】
前記搬送機構は、少なくとも一つのローラと協働するディスク挟持手段を備え、これらは前記ターンテーブルと前記ディスククランプのチャッキング動作または待機動作に連動して、ディスクから離間する位置またはディスクを挟持する位置に移動することを特徴とする請求項３に記載のディスクプレーヤのローディング機構。
【請求項５】
前記ターンテーブルとディスククランプによる前記ディスクチャッキングまたは解放動作および前記ディスク挟持手段による前記ディスク挟持または離間動作の全てを、単体の摺動板に形成したカムの摺動に連動させたこと特徴とする請求項４に記載のディスクプレーヤのローディング機構。
【発明の詳細な説明】
【０００１】
【発明の属する技術分野】
本発明はＣＤ、ＬＤ、ＤＶＤ等を含む光ディスク信号を再生するディスクプレーヤに係わり、より具体的には、挿入されたディスクをターンテーブルまで自動搬送して中心を整合させ、再生可能な状態にチャッキングする機構に関する。
【０００２】
【従来の技術】
再生する一枚のディスクが挿入口に手差されると、ターンテーブルまでの搬送からクランプまでを自動操作で行い、また再生終了後はディスクを自動操作で排出するディスクプレーヤにあっては、基本的にディスクの挿入・排出の過程で、クランパはディスク面に干渉しないようにディスク上面から空隙を介して上方に位置し、またターンテーブルはディスクと咬合する中央の突起がディスク下面の侵入を阻害しないようにディスク下面より下方に位置させなければならない。
【０００３】
またディスクの挿入・排出を案内するガイドおよび搬送の動力を供給するローラは、ディスクの移動中はディスク面に密着し、再生中はディスクとの間に空隙を設けなければならない。さらに、外部からの振動を遮断するために、装置をフローティング状態におくことを考慮すると、ディスク面の上下方向にはある程度の空隙を確保しなければならない。
【０００４】
そこで、ディスクの上下に空隙を設けるため手段が提案されている。例えば、特開昭５８−４５６５９号には固定されたターンテーブル２１にディスクＤを挿入する実施例が開示されている。
【０００５】
また、特開平１０−１９９０９５号ではディスク１２の挿入高さを固定して、挿入時にはターンテーブル７１とディスククランプアーム７３をヒンジ７４を中心に上下に回動して蝶番式に開く実施例が開示されている。この他、ローディング用搬送ローラの位置を固定したものや、上面ガイド板を固定したものがある。
【０００６】
基本的には、ディスクは挿入された時点で搬送のために回転するローラと平らな案内面とに挟持されて、ディスクの中心がターンテーブルの回転軸と整合する位置でターンテーブルにチャッキングされ、ターンテーブルと一体に回転することが可能となった状態で、ローラと案内面はディスク面との間に空隙ができるようにそれらを相対的に離間して、ディスクに安定な回転動作が得られるようにしなければならない。このためには、ディスクに対して厚さ方向の空隙を確保することがどうしても必要である。
【０００７】
【発明が解決しようとする課題】
しかしながら、車載用あるいはコンピュータに組込まれて機能するディスクプレーヤにとって、場所をとらない軽量でコンパクトな外形と構造の簡潔さによる信頼性の確保と低廉な価格は常に市場から要求される課題である。ディスク面に平行な平面的な寸法はディスクの外径以下に縮小することはできないし、部品強度を維持して製品の耐久性を確保するため、構成材料そのものの寸法削減にも限度がある。結局、ローディング機構の構成によってディスク面に垂直な厚み方向の寸法を縮減して要求を満たすことになる。
【０００８】
そこで本発明の目的は、簡潔な構成により厚み方向の寸法を極力低減した、コストの低廉なディスクプレーヤに適用する作動の確実なディスクローディング機構を提供することである。
【０００９】
【課題を解決するための手段】
上記の目的を達成するために、本発明に係わるディスクプレーヤのローディング機構は、ピックアップが設置されるとともに、ターンテーブルのディスク設置面を設定する基準面を有する駆動基盤と、この駆動基盤の前記基準面側に設けられた前記ターンテーブルを待機位置から、当該駆動基盤の開口を通じて、前記基準面から所定の間隔で平行に設定したディスク再生位置に移動する手段と、前記駆動基盤の前記基準面とは反対側の面に配置されるディスククランプを前記ターンテーブルに向かって移動させる手段とを備え、前記ディスククランプと前記ターンテーブルとが協働して前記ディスク再生位置にディスクをチャッキングする。前記ターンテーブルは、ブラシレス・スピンドルモータと一体に形成されて前記ピックアップとは独立して移動可能である。
【００１０】
また、前記ディスクは、モータ駆動される搬送機構によって自動的に挿入口から前記ターンテーブル上に移送され、前記ターンテーブルの移動は前記ディスクの移送と機械的に連動して行われる。そして、前記搬送機構は、少なくとも一つのローラと協働するディスク挟持手段を備え、これらは前記ターンテーブルと前記ディスククランプのチャッキング動作または待機動作に連動して、ディスクから離間する位置またはディスクを挟持する位置に移動する。しかも、前記ターンテーブルとディスククランプによる前記ディスクチャッキングまたは解放動作および前記ディスク挟持手段による前記ディスク挟持または離間動作の全てを、単体の摺動板に形成したカムの摺動に連動させた。
【００１１】
【発明の実施の形態】
以下に本発明に係わるディスクプレーヤのローディング機構の一実施例を示す図面に基づいて実施の形態を説明する。図１は本発明に係わるローディング機構を含むディスクプレーヤ全体を示す概略の平面図で、図２は図１の２−２線に沿った概略の側面図である。図３および図４は搬送機構の説明図で、図５にターンテーブルの主要部分を拡大して平面図示する。上記図面は繁雑になるのを避けるため、断面図示や部分的省略が行われている。また必要に応じて二点鎖線で部材の移動位置を示す。
【００１２】
図１は実線で待機状態にあるディスクプレーヤ１０が示され、挿入位置に実線で示したディスク１１が、搬送機構の作動で二点鎖線で示す位置に移送されてチャッキングされる。ディスク１１を所定位置にチャッキングしたとき、クランプアーム１４にクランプ板バネ１３を介して回転自在に遊嵌されたクランプリング１２が、板バネ１３のバネ弾性で、ディスク１１をターンテーブル面３６ａに圧着する。この態様は、図２に側面図で示す。
【００１３】
クランプアーム１４と駆動基盤１５との間に引張コイルバネ１６が張設され、クランプアーム１４は下方（駆動基盤１５の方向）に付勢されている。引張コイルバネ１６の近傍でクランプアーム１４の一部が下方に折曲げられてカムフォロア１７を形成し、摺動板１８に突設させた第一カム面１８ａで引張コイルバネ１６の付勢力を支持し、クランプアーム１４の開口位置でクランプリング１２を上方の待機位置に保持する（図２（ａ）参照）。
【００１４】
シフトバー１９はクランプアーム１４に設けた長溝２０をガイドに図中上下方向（矢印Ｆ−Ｒ方向）に摺動可能で、長溝２０に沿って離間位置に植設した二本のガイドピン１９ａの嵌入により平行移動する。またシフトバー１９の両端部には下方に直角に折曲げた直立片１９ｂが形成され、進入してきたディスク１１の外周縁Ｃと当接する。
【００１５】
始動アーム２１は、植設した旋回軸２２を中心に回動自在であり、旋回軸２２はまた、クランプアーム１４の直線溝２３に摺動自在に嵌入している。直線溝２３は、ディスク１１の進行方向に対して垂直方向（矢印Ｂ方向）に穿設されており、始動アーム２１は、直線溝２３に沿った横方向の摺動が可能である。始動アーム２１の一方の第一突出端部２１ａに穿設された長孔２１ｂには、シフトバー１９の二本のガイドピン１９ａの中央に立設した連結ピン１９ｃが摺動自在に嵌入する。
【００１６】
また始動アーム２１とクランプアーム１４との間には、引張コイルバネ２４が張設されて、始動アーム２１を図中時計方向に付勢している。さらに始動アーム２１には、長孔２１ｂの端部と旋回軸２２のほぼ中間にカムフォロアピン２５が植設されて、クランプアーム１４に穿設された内接カム２６の前縁２６ａに当接して、引張コイルバネ２４の付勢力を支持し、始動アーム２１の回動を規制している。さらに、始動アーム２１の旋回軸２２を挟んで第一突出端部２１ａの反対側に位置する第二突出端部２１ｃには、前述の摺動板１８を連動させる摺動ラック２７を押動して、ディスク１１のチャッキング動作を始動する連係部２８が形成される。
【００１７】
一方、搬送機構２９に組込まれたローラ３０は、ディスク１１をターンテーブル面とほぼ平行に案内する上面ガイド板３１と連動して、ディスク１１を両面から挟持し、または離間する。すなわち、ローラ３０と上面ガイド板３１とは近接位置においてディスク１１を挟持し、図中上下方向（矢印Ｆ−Ｒ方向）に移送する。また、上面ガイド板３１の上面にはディスク１１の挿入および排出を感知するフォトセンサ３２を含む回路をプリント配線した基板３３が配設され、ディスク１１の挿入を感知したときは、駆動モータ３４が起動し、歯車列３５を介してローラ３０の回転軸３１ａに直結する歯車３５ａを連動させ、ディスク１１をターンテーブル３６に送り込む方向にローラ３０を回転させる。
【００１８】
係合部３７ａ，３７ｂにガイドされて、一定距離だけ相対移動が可能なように摺動板１８に連結された摺動ラック２７は、摺動板１８との間に張設した引張コイルバネ３８によって駆動ピニオン３９から離間する方向に付勢されている（図７参照）。摺動板１８は駆動基盤１５の切り起し片１５ａ，１５ｂ，１５ｃ，１５ｄにディスク移動方向に平行な前後方向に駆動基盤１５の下面に沿って摺動可能であり、左右および上下方向（紙面に垂直な方向）の動きが制限されている（図８参照）。このように本実施例では、駆動ピニオン３９の回転面すなわち摺動ラック２７の厚みを画定する側面が駆動基盤１５と平行になるように配設して、厚み方向の寸法を縮減している。
【００１９】
摺動ラック２７奥側（矢印Ｆ側）の端部２７ａは、始動アーム２１の端部に設けた連係部２８が対向し、ディスク１１に押動されるシフトバー１９に連動して回動する始動アーム２１の旋回動作で、連係部２８が摺動ラック２７の端部２７ａに当接して摺動ラック２７を摺動板１８上で手前側（矢印Ｒ側）に相対移動させ歯部２７ｂを駆動ピニオン３９との噛合位置まで押動する。すなわち、図７（ａ）に示されるように、摺動板１８は板バネ４２を介して側方に突設させたカムフォロア４１が駆動基盤１５に穿設したクランク状カム溝４０（二点鎖線で図示）の屈曲部位４０ｂに当接して移動が阻止されている。このため、連係部２８に押動される摺動ラック２７は、摺動板１８との間に張設された引張コイルバネ３８を伸長しながらその付勢力に抗して摺動板１８と相対的に移動する（図７（ｂ）参照）。
【００２０】
摺動ラック２７は、歯部２７ｂを駆動ピニオン３９に近接させながら、一体に形成した作用片４３でカムフォロア４１を摺動板１８の凹部４４に嵌入し、同時に屈曲部位４０ｂの阻止を外してクランク状カム溝４０の誘導溝４０ａに進入させる。摺動ラック２７の歯部２７ｂが駆動ピニオン３９との噛合により駆動される間、カムフォロア４１は、誘導溝４０ａの拘束によって凹部４４との咬合を保持する。これにより、摺動ラック２７は一体に設けたストッパ２７ｃがカムフォロア４１に係止され、引張コイルバネ３８を伸長状態に保持したまま摺動板１８との相対位置が固定されて一体で移動する（図７（ｂ）参照）。摺動板１８は最大ストローク位置でリミットスイッチ（図示しない）を作動し、駆動ピニオン３９の回転を停止する。
【００２１】
駆動ピニオン３９を逆転させると、摺動ラック２７の歯部２７ｂが駆動ピニオン３９との噛合を解除する位置に同期して、カムフォロア４１はクランク状カム溝４０の屈曲部位４０ｂに達し拘束が解かれる。ここで、摺動ラックのストッパ２７ｃは板バネ４２との協働でカムフォロア４１を凹部４４から押出して係止を解除する。
【００２２】
摺動ラック２７は、引張コイルバネ３８の収縮力で駆動ピニオン３９から離間する方向、すなわち図中上方（矢印Ｆ方向）に強制的に移動され、駆動ピニオン３９から完全に離間した初期状態に復帰する。摺動板１８には複数のカムが形成されており、摺動板１８の往復作動でそれぞれのカムに係合するカムフォロアが連動して、クランプアーム１４、上面ガイド板３１、ローラ３０、ターンテーブル３６の移動が制御される。
【００２３】
クランプアーム１４は前述のとおり、下方に延在させたカムフォロア１７が摺動板１８に突設させた第一カム面１８ａとの摺接を保ち、摺動板１８の前進後退（矢印Ｆ−Ｒ方向）に応じて昇降する。ローラ３０は、回転軸３１ａが横桁３１ｂの両端部を下方に折曲げて形成したローラアーム３０ａに回転自在に支持される。またローラアーム３０ａは、支軸３０ｂを中心に回動自在で、横桁３１ｂ前縁と後縁のリブを折曲げて延在させたカムフォロア４５ａ，４５ｂのいずれかが、摺動板１８に突設した第二カム面１８ｂの前進後退（矢印Ｆ−Ｒ方向）によって押上げられる。ローラ３０は、カムフォロア４５ａの押上げで定位置まで上昇して図示しないバネ作用でディスク１１を挟持し、カムフォロア４５ｂの押上げではディスク１１から離間する（図２〜図４参照）。
【００２４】
図５および図６に基づいて本発明に係わるディスクプレーヤ１０のローディング機構を詳細に説明する。ターンテーブル３６はそれ自体がブラシレススピンドルモータの外形で画定され、ディスク１１をチャッキングする上面が、ターンテーブルベース４６上に所定の高さで正確に設置される。ターンテーブルベース４６上にはターンテーブル３６の外周を囲む円周上の三方向にそれぞれ支柱４７が植設される。
【００２５】
三本の支柱４７の縮径段部４７ｂが確定する平面とターンテーブル３６のディスク載置面３６ａとは平行で、高さ方向の間隔は正確に所定寸法に仕上げられる。従って、支柱先端の縮径段部４７ｂが駆動基盤１５の下面（基準面Ｌ）に当接したとき、ターンテーブル３６のディスク載置面３６ａとピックアップ（図示しない）との相対位置は正確に所定の寸法が確定される。
【００２６】
ちなみに、ピックアップの走行面は、駆動基盤１５の下面を基準面Ｌに規定して構成されており、この基準面Ｌによって設定されるディスク載置面３６ａを上限としてターンテーブル３６だけを単独で昇降させている。すなわち、稼働部分がピックアップ機構全体に及ばないから、広い空間を移動のための空隙として確保する必要がなく、移動空間を設けないだけコンパクトな構成が達成できる。また、ピックアップ機構全体を移動させないので不安定要素がなくなり、強度や精度の向上を図ることができる。さらには、移動のための動力が不要であるから動力機構の設置空間が節減できる。
【００２７】
ターンテーブルベース４６の両端は、二度の折曲げによりクランク状に形成した垂直段を介して両側に突出させた水平張出部分４６ａと協働で支持面を構成する。ターンテーブルベース４６に植設した三本の支柱４７の外周は、支柱ガイド４８の内径によりディスク面に対して垂直方向に案内され、縮径した先端４７ａを駆動基盤の対向位置に穿設した透孔１５ｆに挿入し、縮径段部４７ｂを駆動基盤１５下面の基準面Ｌに当接させることでディスク１１の下面に対する高さ方向の位置を確定することができる。
【００２８】
駆動基盤１５の切り起しブラケット１５ｅの支軸４９に回動自在に支持された昇降アーム５０の自由端に、ターンテーブルベース４６の両端を屈曲させて形成した水平張出部分４６ａが支持され、基準面Ｌと平行にターンテーブルベース４６が位置付けられるように僅かな回動が許される。すなわち、昇降アーム５０の両側それぞれに二本の腕５０ａ，５０ｂが形成され、ターンテーブルベース４６両端の水平張出部分４６ａは、弾力性を付与した弾性腕５０ａでターンテーブルベース４６を下方から支持し、垂直段内側のモータ取付面４６ｂには、上方から弾性変形を伴わない作動腕５０ｂが当接して支持する。
【００２９】
昇降アーム５０の外側に突設した作動アーム５０ｃの自由端５０ｄから水平方向に突出させたカムフォロア５０ｅが、摺動板１８の上下二段の溝を連通して形成したクランク状カム溝１８ｃに係合する。従って、図２（ａ）および（ｂ）で示すように、昇降アーム５０は摺動板１８の前後移動（矢印Ｆ−Ｒ方向）に伴って上下（矢印Ｕ−Ｄ方向）に回動する。クランク状カム溝１８ｃには、さらに小さな段によって区画され、カムフォロア５０ｅが最上段に移行すると、弾性腕５０ａの弾性力がターンテーブルベース４６を三本の支柱４７を介して基準面Ｌに圧接する。ここに作用する弾性腕５０ａの弾性支持力は、クランプリング１２がディスク１１の面に及ぼす押圧力より十分に大きく、チャッキング動作によってターンテーブルベース４６が変位することはない。
【００３０】
結果として、ターンテーブルベース４６は、植設した三本の支柱４７が支柱ガイド４８によって基準面Ｌに対して垂直に案内され、先端面が弾性腕５０ａの付勢力によって基準面Ｌに圧着し、ターンテーブル３６面はディスク１１の下面に対して平行に移動して図示しないピックアップと正確な関係位置に整合する。三本の支柱４７は、三点支持で決定する安定な平面にディスク１１を位置付ける。このとき作動腕５０ｂは、モータ取付面４６ｂから僅かに離間して、弾性腕５０ａによる圧着作用に干渉しない高さに持上げられている。
【００３１】
次にディスクプレーヤ１０のローディング機構の動作について説明する。待機状態にあるディスクプレーヤ１０のディスク挿入口５２よりディスク１１を挿入すると、ディスク検出用フォトセンサ３２に感知されて駆動モータ３４が起動し、ローラ３０が回転を開始する。ディスク１１は、下面がローラ３０の外周面に当接して摩擦による駆動力で、上面ガイド板３１下面と摺接しながら水平に案内され、ターンテーブル３６に向かって送り込まれる。
【００３２】
ローラ３０によって送り込まれたディスク１１は、外周前縁Ｃがシフトバー１９の両端を折曲げた直立片１９ｂに当接すると、ローラ３０から伝達される駆動力によってシフトバー１９を長溝２０に沿って図中上方（矢印Ｆ方向）に押動する。この動作によって、シフトバー１９に立設され、始動アーム２１の長孔２１ｂに嵌入されている連結ピン１９ｃが、長孔２１ｂの内壁を摺動しながら、始動アーム２１を旋回軸２２の周りに回動させる。始動アーム２１は、植設されたカムフォロアピン２５をガイドする弧状カム部２６ｂの規制をうけながら旋回して、連係部２８を摺動ラック２７の後方端部２７ａに当接させ、摺動ラック２７を摺動板１８上で手前側（矢印Ｒ方向）に相対移動し、駆動ピニオン３９との噛合位置まで押動する。駆動ピニオン３９は、ローラ３０の回転と同時に起動するが、摺動ラック２７との噛合タイミングはシフトバー１９の移動位置によって制御される。
【００３３】
カムフォロアピン２５が係止位置２６ｃに達すると、始動アーム２１の回動が抑止され、シフトバー１９を介して回動を付勢していたディスク１１の移動は阻止される。この位置で引張コイルバネ２４の付勢力が始動アーム２１に作用して、カムフォロアピン２５がポケット２６ｄの引込位置にロックされ、シフトバー１９によってディスク１１の位置が確定される。クランプアーム１４のチャッキング操作で、ターンテーブル３６中心部のテーパーボス３６ｂの斜面作用を受けたディスク１１が整合位置に移行することで、ディスク１１の外周前縁Ｃは、直立片１９ｂから離間して、それまでの押動動作における当接状態から解放され、ディスク１１には安定した回転が得られる。
【００３４】
摺動ラック２７は図中下方移動（矢印Ｒ方向）による駆動ピニオン３９との噛合で駆動力が伝達され、摺動板１８を同じ方向に作動する。摺動板１８の移動によってクランプアーム１４のカムフォロア１７を載せていた第一カム面１８ａが外れ、クランプアーム１４は引張コイルバネ１６の付勢力で下降し、クランプリング１２でディスク１１をターンテーブル３６にチャッキングする。一方、第二カム面１８ｂに摺接する横桁カムフォロア４５ａ，４５ｂが連動して上面ガイド板３１とローラ３０とをディスク１１から離間する方向に移動して挟持していたディスク１１を解放する。さらに、ターンテーブルベース４６を支持する昇降アーム５０から水平方向に突出させたカムフォロア５０ｅは、クランク状カム溝１８ｃの上段に押上げられ、ターンテーブル３６の上面をディスク１１下面に圧着する。
【００３５】
次に再生を終了したディスク１１の排出動作について説明する。再生終了時には図示しない電気回路のスイッチ操作によって駆動ピニオン３９を逆転させ、摺動ラック２７を図中上方（矢印Ｆ方向）に移動させる。摺動板１８に設けたカム１８ａ，１８ｂ，１８ｃは摺動ラック２７と共に逆方向に移動するので、ディスク１１は上下両面から当接する上面ガイド板３１と逆転しているローラ３０によって挟持され、クランプアーム１４はディスク１１のチャッキングを解除する。また、摺動板１８の逆行でカムフォロア５０ｅがクランク状カム溝１８ｃの下段に移行するので昇降アーム５０が降下して、ターンテーブル３６は、ディスク１１の下面から離間位置に退避し、初期の待機状態となる。チャッキングから解放されたディスク１１は、逆回転しているローラ３０によって排出される。
【００３６】
摺動ラック２７の図中上方移動（矢印Ｆ方向）によって、摺動ラック後端のテーパー部２７ｄが始動アーム２１の連係部２８に接し、さらに摺動ラック２７が図中上方移動するとテーパー部２７ｄの斜面の作用で、始動アーム２１が中心方向（矢印Ｂ方向）に押動される。始動アーム２１を係止位置２６ｃに拘束しているカムフォロアピン２５がポケット２６ｄから押出され、始動アーム２１はクランプアーム１４との間に張設した引張コイルバネ２４の付勢力で時計方向に回動し、初期の待機状態に復帰する。
【００３７】
このとき、摺動ラックの歯部２７ｂは駆動ピニオン３９との噛合を解除する位置にあって、カムフォロア４１がクランク状カム溝４０の誘導溝４０ａとの係合から解放され、摺動ラックのストッパ２７ｃはカムフォロア４１を凹部４４から押出して係止を解除する。そこで、摺動板１８と摺動ラック２７との一体化は解消され、引張コイルバネ３８の付勢力が有効に作用して、摺動ラック２７の歯部２７ｂは駆動ピニオン３９から離間した初期位置に引き戻され待機状態となる。ディスク１１の排出完了はフォトセンサ３２で確認することができる。
【００３８】
以上、本発明に係わるディスクプレーヤのローディング機構の一実施例について説明したが、本発明は図示の実施例に限定されるものではなく、その形状や動作の手順等について、本発明の必須の構成要件から逸脱しない範囲で、細部に関する多種多様な変更や部品の再構成等の改変をなし得ることが予期される。例えば、ターンテーブルはそれ自体がブラシレススピンドルモータの外形で画定されるものとしたが、スピンドルモータとは別体に形成したターンテーブルをスピンドルモータの回転軸に圧入するようにしてもよい。
【００３９】
【発明の効果】
以上の説明で明らかなように、本発明に係わるディスクプレーヤのローディング機構によれば、駆動基盤の下面を基準面として、ピックアップ走行面を規定し、この基準面により設定されるターンテーブル面を上限としてターンテーブルをピックアップから独立させて昇降しているので、単純かつ軽快な移動機構を適用して、ディスク記録面とピックアップの相対的位置関係が極めて正確に維持できる。また、ターンテーブルをモータと一体構成であり、移動機構が全て単体の摺動板だけで機能するようにしたので全体を薄型に構成することができる。
【００４０】
さらに、ディスクに対してターンテーブルだけを移動する構成は、ピックアップとディスク面の精密な相対的位置付けが狂わないようにという配慮から再生機構全体を移動する構成と異なり、ピックアップの移動空間が有効利用できる。しかも、駆動モータに再生機構全体を移動する荷重負担がなくなるので、動力が節減できる。
【図面の簡単な説明】
【図１】本発明に係わるディスクプレーヤのローディング機構を含むディスクプレーヤ全体を示す概略の平面図である。
【図２】図１の２−２線に沿った概略の側面図で、（ａ）はディスク搬送中の状態を示し、（ｂ）はディスクをチャッキングした状態を示す。
【図３】本発明に係わるディスクプレーヤのローディング機構における搬送機構部分で、（ａ）はディスクを挟持して搬送する態様、（ｂ）はディスクから離間した態様を示す側面図である。
【図４】本発明に係わるディスクプレーヤのローディング機構におけるディスク搬送ローラの動作説明図で、（ａ）はディスクを挟持した態様、（ｂ）はディスクから離間した態様を部分的に拡大して示した側面図である。
【図５】本発明に係わるディスクプレーヤのローディング機構におけるターンテーブルの作動部分を拡大図示した平面図である。
【図６】図５の６−６線に沿った概略側面図の拡大図示で、（ａ）はディスク挿入中の状態を示し、（ｂ）はディスクをチャッキングした状態を示す。
【図７】本発明に係わるディスクプレーヤのローディング機構における摺動ラックと摺動板の関係を説明するために拡大図示した平面図で、（ａ）は相対移動可能な状態、（ｂ）は一体で移動する状態を示す。
【図８】本発明に係わるディスクプレーヤのローディング機構における摺動ラックと摺動板の駆動基盤に対する関係を説明する概略の平面図である。
【符号の説明】
１０  ディスクプレーヤ
１１  ディスク
１２  クランプリング
１５  駆動基盤
１８  摺動板
１９  シフトバー
２１  始動アーム
２６  内接カム
２７  摺動ラック
２８  連係部
３０  ローラ
３１  上面ガイド板
３６  ターンテーブル
３９  駆動ピニオン
４６  ターンテーブルベース
４７  支柱
４８  支柱ガイド
５０  昇降アーム
【図１】
0004657476.tif 000002
【図２】
0004657476.tif 000003
【図３】
0004657476.tif 000004
【図４】
0004657476.tif 000005
【図５】
0004657476.tif 000006
【図６】
0004657476.tif 000007
【図７】
0004657476.tif 000008
【図８】
0004657476.tif 000009